【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
ポリマー膜であって、
ポリマー膜は可撓性であり、前記ポリマー膜の中に埋め込まれるか、その上に位置付けられるか、あるいはそれに取り付けられる、少なくとも１つの電気紡糸で導電性ナノ繊維または電気紡糸で導電性ナノ繊維構造を含んでいる、ことを特徴とするポリマー膜。
【請求項２】
前記ポリマー膜は、流延（ｃａｓｔ）ポリマー膜である、請求項１に記載のポリマー膜。
【請求項３】
前記少なくとも１つの電気紡糸で導電性ナノ繊維または電気紡糸で導電性ナノ繊維構造は、約１ナノメートル〜約２５，０００ナノメートルの範囲内の平均直径を有する１つ以上のナノ繊維から形成される、請求項１に記載のポリマー膜。
【請求項４】
前記少なくとも１つの電気紡糸で導電性ナノ繊維または電気紡糸で導電性ナノ繊維構造は、約１０ナノメートル〜約５００ナノメートルの範囲内の平均直径を有する１つ以上のナノ繊維から形成される、請求項３に記載のポリマー膜。
【請求項５】
前記ポリマー膜は、透明でもある、請求項１に記載のポリマー膜。
【請求項６】
前記ポリマー膜は、少なくとも約５０パーセントの可視光線範囲の透過率を有する、請求項１に記載のポリマー膜。
【請求項７】
前記ポリマー膜は、少なくとも約７５パーセントの可視光線範囲の透過率を有する、請求項６に記載のポリマー膜。
【請求項８】
前記少なくとも１つの電気紡糸で導電性ナノ繊維または電気紡糸で導電性ナノ繊維構造は、ポリアニリン（ＰＡＮＩ）、ポリピロリジン、ポリ（フルオレン）、ポリピレン、ポリアズレン、ポリナフタレン、ポリ（ピロール）（ＰＰＹ）、ポリカルバゾール、ポリインドール、ポリアゼピン、ポリ（チオフェン）（ＰＴ）、ポリ（ｐ−フェニレンスルフィド）（ＰＰＳ）、ポリ（アセチレン）（ＰＡＣ）、ポリ（ｐ−フェニレンビニレン）（ＰＰＶ）、ポリ（３，４−エチレンジオキシチオフェン）（ＰＥＤＯＴ）、ポリ（スチレンスルホネート（ＰＳＳ）、ＰＥＤＯＴ／ＰＳＳの混合物、またはそれらの任意の２つ以上の適切な混合物から選択される導電性化合物から形成される、請求項１に記載のポリマー膜。
【請求項９】
前記少なくとも１つの電気紡糸で導電性ナノ繊維または電気紡糸で導電性ナノ繊維構造は、少なくとも１つの導電性材料と少なくとも１つの電気紡糸可能なポリマーとの組み合わせから形成される、請求項１に記載のポリマー膜。
【請求項１０】
前記少なくとも１つの導電性材料は、１つ以上の炭素系成分、１つ以上の伝導性金属ナノ粒子もしくはナノ構造、１つ以上の伝導性金属粒子もしくは構造、１つ以上の伝導性金属合金ナノ粒子もしくはナノ構造、１つ以上の伝導性金属合金粒子もしくは構造、またはそれらの２つ以上の組み合わせから選択される、請求項９に記載のポリマー膜。
【請求項１１】
前記少なくとも１つの電気紡糸可能なポリマーは、１つ以上のポリ（エチレンオキシド）、１つ以上のポリイミド、またはそれらの２つ以上の組み合わせから選択される、請求項９に記載のポリマー膜。
【請求項１２】
前記少なくとも１つの導電性材料は、約０．１重量パーセント〜約５０重量パーセントの範囲内で、前記少なくとも１つの電気紡糸で導電性ナノ繊維または電気紡糸で導電性ナノ繊維構造中に存在する、請求項９に記載のポリマー膜。
【請求項１３】
前記少なくとも１つの導電性材料は、約５重量パーセント〜約３５重量パーセントの範囲内で、前記少なくとも１つの電気紡糸で導電性ナノ繊維または電気紡糸で導電性ナノ繊維構造中に存在する、請求項１２に記載のポリマー膜。
【請求項１４】
前記少なくとも１つの電気紡糸で導電性ナノ繊維または電気紡糸で導電性ナノ繊維構造は、１つ以上のポリ（エチレンオキシド）、ポリ（３，４−エチレンジオキシチオフェン）、およびポリ（スチレンスルホネート）の電気紡糸可能な混合物から形成される、請求項１に記載のポリマー膜。
【請求項１５】
前記少なくとも１つの電気紡糸で導電性ナノ繊維または電気紡糸で導電性ナノ繊維構造は、配向されたナノ繊維を含有する、請求項１に記載のポリマー膜。
【請求項１６】
可撓性および導電性のポリマー膜を生成するための方法であって、
（ｉ）少なくとも１つのポリマー膜を、適切な表面上に流延するステップと、
（ｉｉ）少なくとも１つの電気紡糸可能なポリマー組成物を調製するステップと、
（ｉｉｉ）ステップ（ｉ）の前記流延膜の上に、その中に、またはその中に部分的に埋め込まれる、少なくとも１つの導電性ナノ繊維またはナノ繊維構造を生成するために、ステップ（ｉ）のポリマー膜の上に前記少なくとも１つの電気紡糸可能なポリマー組成物を直接電気紡糸させるステップと、を含み、
ステップ（ｉｉ）の前記電気紡糸可能なポリマー組成物は、それ自体導電性であるか、あるいは前記電気紡糸可能なポリマー溶液が、その中に少なくとも１つの導電性材料を含有するかのいずれかである、方法。
【請求項１７】
前記少なくとも１つの導電性電気紡糸構造は、約１ナノメートル〜約２５，０００ナノメートルの範囲内の平均直径を有する１つ以上のナノ繊維から形成される、請求項１６に記載の方法。
【請求項１８】
前記少なくとも１つの導電性電気紡糸構造は、約１０ナノメートル〜約５００ナノメートルの範囲内の平均直径を有する１つ以上のナノ繊維から形成される、請求項１７に記載の方法。
【請求項１９】
ステップ（ｉｉｉ）で得られた前記ポリマー膜は、透明である、請求項１６に記載の方法。
【請求項２０】
前記ポリマー膜は、少なくとも約５０パーセントの可視光線範囲の透過率を有する、請求項１６に記載の方法。
【請求項２１】
前記ポリマー膜は、少なくとも約７５パーセントの可視光線範囲の透過率を有する、請求項２０に記載の方法。
【請求項２２】
前記少なくとも１つの導電性電気紡糸構造は、ポリアニリン（ＰＡＮＩ）、ポリピロリジン、ポリ（フルオレン）、ポリピレン、ポリアズレン、ポリナフタレン、ポリ（ピロール）（ＰＰＹ）、ポリカルバゾール、ポリインドール、ポリアゼピン、ポリ（チオフェン）（ＰＴ）、ポリ（ｐ−フェニレンスルフィド）（ＰＰＳ）、ポリ（アセチレン）（ＰＡＣ）、ポリ（ｐ−フェニレンビニレン）（ＰＰＶ）、ポリ（３，４−エチレンジオキシチオフェン）（ＰＥＤＯＴ）、ポリ（スチレンスルホネート（ＰＳＳ）、ＰＥＤＯＴ／ＰＳＳの混合物、またはそれらの任意の２つ以上の適切な混合物から選択される導電性化合物から形成される、請求項１６に記載の方法。
【請求項２３】
前記少なくとも１つの導電性電気紡糸構造は、少なくとも１つの導電性材料と少なくとも１つの電気紡糸可能なポリマーとの組み合わせから形成される、請求項１６に記載の方法。
【請求項２４】
前記少なくとも１つの導電性材料は、１つ以上の炭素系成分、１つ以上の伝導性金属ナノ粒子もしくはナノ構造、１つ以上の伝導性金属粒子もしくは構造、１つ以上の伝導性金属合金ナノ粒子もしくはナノ構造、１つ以上の伝導性金属合金粒子もしくは構造、またはそれらの２つ以上の組み合わせから選択される、請求項２３に記載の方法。
【請求項２５】
前記少なくとも１つの電気紡糸可能なポリマーは、１つ以上のポリ（エチレンオキシド）、１つ以上のポリイミド、またはそれらの２つ以上の組み合わせから選択される、請求項２３に記載の方法。
【請求項２６】
前記少なくとも１つの導電性材料は、約０．１重量パーセント〜約５０重量パーセントの範囲内で、前記少なくとも１つの導電性ナノ繊維またはナノ繊維構造中に存在する、請求項２３に記載の方法。
【請求項２７】
前記少なくとも１つの導電性材料は、約５重量パーセント〜約３５重量パーセントの範囲内で、前記少なくとも１つの導電性ナノ繊維またはナノ繊維構造中に存在する、請求項２６に記載の方法。
【請求項２８】
前記少なくとも１つの導電性電気紡糸構造は、１つ以上のポリ（エチレンオキシド）、ポリ（３，４−エチレンジオキシチオフェン）、およびポリ（スチレンスルホネート）の電気紡糸可能な混合物から形成される、請求項１６に記載の方法。
【請求項２９】
前記少なくとも１つの導電性電気紡糸構造は、配向されたナノ繊維を含有する、請求項１６に記載の方法。